(57)【要約】      （修正有）【課題】  複数枚のパネルを床面に対して垂直に起立して配列することで周囲を囲み、天井には天井パネルを取付け、そして入口には引戸を装着したブースであって、空きテナントに設置して商売用として使用できるように構成した外観・意匠の良好で地震に強いブースの提供。【解決手段】  パネルの少なくとも正面側には枠体にガラス板を嵌めたガラスパネル２，２・・を用い、床面２５から垂直に起立するアジャスターネジ４にはナット２６を螺合し、該ナット２６には箱形部材３０を載置し、該箱形部材３０の側片２８にはプレート３２をネジ止めすると共に該プレート３２には床レール３３をネジ止めし、そして上記パネル受け３１にはパネル２を載せて配置し、パネル受け３１の両側に設けた係止受け３６及び位置決め部４１の先端係止部３９に巾木３５を係止して取付け、一方、ブースコーナに起立した主柱上端部には横桟５を取着し、パネル上端に取付けた金具４８を上記横桟５に係止して連結する。【選択図】    図６
2006207257.tif 000002
【特許請求の範囲】
【請求項１】
複数枚のパネルを床面に対して垂直に起立して配列することで周囲を囲み、天井には天井パネルを取付け、そして入口には引戸を装着したブースのパネル取付け構造において、床面から垂直に起立するアジャスターネジにはナットを螺合し、該ナットには底片と両側片及び側片上端には外方向へ水平に延びる上片から成る箱形部材を載置し、該箱形部材の側片にはプレートをネジ止めすると共に該プレートには床レールをネジ止めし、そして上記パネル受けにはパネルを載せて配置し、パネル受けの両側に設けた係止受け及び位置決め部の先端係止部に巾木を係止して取付け、一方、ブースコーナに起立した主柱上端部には横桟を取着し、パネル上端に取付けた金具を上記横桟に係止して連結したことを特徴とするブースのパネル取付け構造。
【請求項２】
隣合うパネルを支持する両箱形部材の側片及び底片を抱え込むように連結部材を取付けた請求項１記載のブースのパネル取付け構造。
【請求項３】
上記パネル受けの中央部には２本の脚を下方へ延ばし、両脚を箱形部材の両側片の間に嵌入し、また両側に設けた位置決め部にはパネル下端に設けた位置決め片を係止して位置決めした請求項１、又は請求項２記載のブースのパネル取付け構造。                                                                      
【発明の詳細な説明】
【技術分野】
【０００１】
本発明は主としてオフィスビル内に設置されるブースを構成するパネルの取付け構造に関するものである。
【背景技術】
【０００２】
工場内には製品を製造する為の設備が設置されることは勿論であるが、作業者の更衣室や食堂、部品などの管理・調達室、又は毎日の作業に際しての打合せやミーティングを行う場所が必要である。その為に、従来から大きな工場建屋内に小さな密閉空間を作るブースを設置している。このブースは必要に応じて設置することが出来、不要になった場合には撤去することが可能である。しかも、その大きさも自由に決めて設置することも可能であることから、主として製造工場において用いられている。
【０００３】
図９は従来の一般的なブースと称されるものである。該ブースは複数枚の金属製パネル(イ)、(イ)・・を周囲に起立して配列し、天井を設けることで仕切られた密閉空間を構成することが出来る。そして、パネル(イ)には窓(ロ)、(ロ)・・を設けて透明性、採光性を確保することが出来、また出入りする為の入口にはドア(ハ)が取付けられている。
【０００４】
ところで、本発明が対象とするブースは工場内に設置するのではなく、空きテナントなどのオフィスビル内に設置し、商品の販売や事務サービスを行う為のブースであり、その為に、該ブースは顧客の出入りを考慮した外観・形態を構成することが要求される。前記図９に示すような形態の従来ブースでは顧客を対象とした商売には適していない。
【０００５】
近年、オフィスビルには空きテナントが多く目立ち、この空きテナントを借りて商売を行うに際して、それなりの金額をかけての補修が必要となる。このような、空きテナントに所定の外観・形態を備えたブースを設置するだけで商売を行うことが出来るならば、経済的負担が軽減されると共にテナント内の補修期間がなくて便利である。
【０００６】
図１０には図９のＡ−Ａ断面拡大図を示しているように、床面(ニ)には床レール(ホ)が敷設され、この床レール(ホ)の適当な位置に配置したアジャスター(ヘ)に載って巾木(ト)が支持されている。そしてパネル(イ)は巾木(ト)に載って起立し、パネル(イ)、(イ)・・間にはスタッドが介在している。一方、天井パネル(チ)はパネル上端に取付けた笠木(リ)の上に載置されて上方から該笠木(リ)にネジ止めされている。
【０００７】
このようなパネル取付け構造では大きな地震が発生して横揺れするならば、パネルを支えるアジャスターが転倒してブースが倒壊してしまう。そして、パネルが倒れて人に当たってケガをし、ガラスパネルであればブースの倒壊と同時にガラス板が破壊して人に当たる。従来のブースの場合、複数のパネル(イ)、(イ)・・を簡単につなぎ合わせただけの構造であり、骨組みに相当する部材も存在しないことはブース強度の低下を招いている。
【発明の開示】
【発明が解決しようとする課題】
【０００８】
工場建屋内に設置されるブースをオフィスビル内に設置するには上記に述べたように、その外観はもとよりその組立て強度に関して上記問題がある。本発明が解決しようとする課題はこの問題点であり、ガラスパネルを主体として構成し、大きな地震であっても倒壊することのない丈夫なブースを提供する。
【課題を解決するための手段】
【０００９】
本発明に係るブースは周囲にパネルを配列して囲み、天井には天井パネルを取付けている。しかし、該ブースは従来のような製造工場内に設置することを目的としたものではなく、オフィス内に設置される。周囲を囲む為のパネルは少なくとも正面側はガラスパネルが用いられ、各パネルはスタッドを間にして連結している。そして、ブースの各コーナには主柱が起立し、主柱上端部には水平に配置されている横桟が連結してブースとしての骨組みが構成されている。この主柱と横桟で形成したフレームにパネルが起立して取付けた構造としている。
【００１０】
ところで、床面にはアジャスターネジが起立し、該アジャスターネジに螺合しているナットに概略Ｕ形をした箱形部材が載って支持され、箱形部材の両側片上端に形成した上片にはパネル受けが載置され、このパネル受けにパネルが載って起立している。そして、上記箱形部材の両側片にはプレートが取着され、該プレートには床レールがネジ止めされている。
【００１１】
上記アジャスターネジ、箱形部材、プレート、及び床レールをカバーする為に巾木が取付けられるが、該巾木はパネル受けと床レールの側片に係止して取付けられる。一方、パネル下端の両側は上記アジャスターにて支持されるが、隣合うパネルの下端のズレを防止する為に、隣同士の箱形部材を連結する連結部材を取着している。そして、パネルの上端は上記横桟に係止して連結している。
【発明の効果】
【００１２】
本発明のブースは、各コーナに主柱を垂直に起立すると共に該主柱を横桟を介して連結してフレームを構成し、このフレームを骨組みとしてパネルを据付けた構造としている。そして、パネルはアジャスターネジに取付けた箱形部材に載ったパネル受けにて支持されるが、該箱形部材の両側片にはプレートが取着されると共に、隣合うパネルを支持する箱形部材は連結部材にて連結されるために、さらに起立したパネル上端は上記フレームの横桟に係止している為に、地震の横揺れに対して強く、ブースが倒壊してパネルが転倒することはない。
【００１３】
本発明のブースは少なくとも正面側にガラスパネルが設けられている為に、該ブースの外観・意匠は商売用に適したものとなる。そして、オフィスビルの空きテナントに本発明のブースを設置するだけで商品の販売やサービル業を行うことが出来る為にテナントの内装を補修する必要がなく、経済的であると共に補修期間が要らなくなる。
【実施例】
【００１４】
図１は本発明に係るオフィス用ブースを示す外観図である。側面は複数枚のパネルが配列して囲まれ、天井には天井パネルが取付けられて、密閉された小空間が形成される。上記ブースの側面を構成するパネルの中で、後側は金属パネル１が用いられ、正面側及び両側にはガラスパネル２，２・・を用いている。金属パネル１とはペーパーコアなどの心材の両面に金属製表面材を貼り合せて構成し、ガラスパネル２とは長方形の枠体にガラス板を嵌めて構成している。
【００１５】
そして、正面に設けられる入口には引戸３が装着され、該引戸３は上レールに吊設されてスライド可能と成っている。ところで、ブースの側壁と成る金属パネル１及びガラスパネル２は、図２及び図３に縦断面、横断面を示すように床面から垂直に起立するアジャスターネジ４に金属パネル１及びガラスパネル２が載って適度な高さに支持され、金属パネル１及びガラスパネル２の上端は横桟５，５に係止して連結している。勿論、横桟５，５・・は四方に設けられ、フロント側横桟、両側横桟、及び後側横桟を有し、これら各横桟５，５・・は長方形に枠組みされた状態でコーナに起立する主柱上端と連結してブースの骨組みと成るフレームを構成している。
【００１６】
金属パネル１，１・・及びガラスパネル２，２・・は間にスタッド６，６・・を介在して互いに連結し、そしてブースの四方には上記主柱７，７・・が起立している。勿論、主柱７と金属パネル１及びガラスパネル２との間にもスタッド６が介在している。そして、正面側には入口８が設けられ、該入口８には引戸３が開閉可能に装着されている。
【００１７】
該引戸３はガラスパネル２の内側に設けられてスライドすることが出来るように上レールに吊設されている。戸先側には配電ボックス９が設けられ、該配電ボックス９は引戸３の戸当たりとしての役目を果たしている。該配電ボックス９の内側には点検扉１０を有し、該点検扉１０は開くことが出来るように取付けられている。本発明のブースはその用途を限定するものではないが、空きテナントに設置するだけで独立した空間として機能するように、照明器具、エアコンなどの制御スイッチを備えている。
【００１８】
ところで、図４には引戸装置の縦断面を示しているように、本発明に係るブース入口に装着される引戸３はガラスパネル２の内側に吊設され、その為に上レール１１はフロント側横桟５の背面に取着されている。図５には上レール１１の取付け構造の詳細を表しているように、該フロント側横桟５の表側及び後側には凹溝１２，１２・・が長手方向に水平に設けられ、この凹溝１２，１２に係止板１３を嵌めると共に、上下係止片１４ａ，１４ｂに該係止板１３の上下端部を係止し、そして背面に当接した取付け板１５を係止板１３にネジ止めしている。
【００１９】
この取付け板１５に上レール１１が固定されている。従って、取付け板１５はフロント側横桟５に直接ネジ止めされない為に、該フロント側横桟５の表面にはネジ穴を設ける必要がなく、従ってフロント側横桟５にキズを付けることなく上レール１１の取付けが出来る。そして上レール１１には吊車１６のローラ１７が載って転動することが出来る。
【００２０】
ローラ１７からは吊具１８が垂下し、該吊具１８の下端には引戸３が連結している。そこで、フロント側横桟５と天井パネル１９との間には開口２０を設け、該開口２０を吊具１６が移動できるように成っている。その為に、ブース外側からは勿論のこと、ブース内からも上レール１１は見えず、特別なカバーは必要ない。床面にはガイドローラ２１が設けられ、引戸下端に形成した凹溝２２に該ガイドローラ２１が遊嵌して引戸３は横揺れすることなくスライドすることが出来る。
【００２１】
そして、これら上レール１１、吊車１６などはフロント側横桟５の背面に配置され、ブース外部に露出することはなく、ブース内側からも天井パネル１９にて遮蔽される為に見えない。吊車１６のローラ１７から垂下する吊具１８が開口２０から露出しているに過ぎない。
【００２２】
図６はパネル下端の支持構造を表している具体例で、(ａ)は金属パネル１の場合、(ｂ)はガラスパネル２の場合である。床面２５にはアジャスターネジ４が起立し、アジャスターネジ４にはナット２６が螺合している。そして該ナット２６には底片２７、両側片２８，２８、及び上片２９，２９を有して概略Ｕ形をした箱形部材３０が載置され、箱形部材３０の上片２９，２９にはパネル受け３１が載っている。箱形部材３０はその底片２７に貫通し穴を設け、該穴にアジャスターネジ４が挿通して上記ナット２６に載置されている。
【００２３】
上記箱形部材３０の側片２８，２８にはプレート３２，３２がネジ止めされ、さらに該プレート３２，３２には床レール３３，３３がネジ止めにて取付けられている。床レール３３，３３はアジャスターネジ４の両側の床面２５に配置され、そして、床レール３３，３３の側片３４，３４はアジャスターネジ４から所定の距離をおいて垂直に起立し、該側片３４，３４には巾木３５，３５が当接している。巾木３５，３５はパネル受け３１の両側にＬ形をして形成した係止受け３６，３６に巾木３５，３５に設けた係止片３７，３７が載って係止し、又巾木３５の係止片３８はパネル受け３１に設けている係止部３９に係止している。
【００２４】
又、巾木３５の上端部をパネル下端面に当接して挟み込んで取付けている。パネル受け３１は中央部に２本の脚４０，４０を下方へ延ばし、両脚４０，４０は箱形部材３０の両側片２８，２８の間に挟まって位置決めされ、位置決めされたパネル受け３１の位置決め部４１，４１にパネル下端に設けている位置決め片４２，４２が係止して位置決めされている。金属パネル１の場合には、上記位置決め片４２，４２は表面材を屈曲して形成され、ガラスパネル２の場合には下桟４３と共に一体成形されている。
【００２５】
図７は上記箱形部材３０に連結部材４４を取着した場合を示している。該連結部材４４は概略Ｕ形を成して上記箱形部材３０の両側片２８，２８及び底片２７を抱きかかえた状態でネジ止めにて取着されている。この連結部材４４は隣合うパネルを支える箱形部材３０，３０を連結する部材であり、隣合う箱形部材３０，３０に跨って取着される。従って、地震による横揺れに対して隣合うパネルがズレることはない。
【００２６】
図８は主柱上端部に取付けられる横桟５とパネルとの連結構造を示している具体例であり、(ａ)はガラスパネル２の場合、(ｂ)は金属パネル１の場合を表している。横桟５は両側面に凹溝１２，１２・・が形成され、前記の通り、この凹溝１２，１２を利用して上レール１１が取付けされる。又、該凹溝１２に天井パネル受け４５が係止し、該天井パネル受け４５に天井パネル１９が載置される。
【００２７】
そして、ガラスパネル２の上桟４７には位置決め片４２，４２を有し、又該上桟４７には金具４８がネジ止めされており、ガラスパネル２の上桟４７は上記横桟５に金具４８及び位置決め片４２が係止して連結している。金属パネル１の場合には、その上端に表面材を屈曲して形成した位置決め片４２，４２を設け、又金具４８がネジ止めされ、そして該金属パネル１の上端は横桟５に金具４８及び位置決め片４２が係止して連結している。
【図面の簡単な説明】
【００２８】
【図１】本発明に係るブースの外観図。
【図２】ブースの縦断面で、(ａ)は金属パネル部の縦断面図、(ｂ)はガラスパネル部の縦断面図。
【図３】ブースの横断面図。
【図４】フロント側横桟の背後に取付けられた引戸装置。
【図５】上レールに載っている吊車。
【図６】パネル下端の支持構造で、(ａ)は金属パネルの場合、(ｂ)はガラスパネルの場合。
【図７】隣合うパネルの連結構造。
【図８】主柱上端部に固定した横桟とパネルの連結構造であり、(ａ)はガラスパネルの場合、(ｂ)は金属パネルの場合。
【図９】従来のブース。
【図１０】従来ブースの縦断面図。
【符号の説明】
【００２９】
１  金属パネル
２  ガラスパネル
３  引戸
４  アジャスターネジ
５  横桟
６  スタッド
７  主柱
８  入口
11  上レール
12  凹溝
16  吊車
18  吊具
20  開口
21  ガイドローラ
22  凹溝
30  箱形部材
31  パネル受け
32  プレート
33  床レール
35  巾木                                                                        
【図１】
2006207257.tif 000003
【図２】
2006207257.tif 000004
【図３】
2006207257.tif 000005
【図４】
2006207257.tif 000006
【図５】
2006207257.tif 000007
【図６】
2006207257.tif 000008
【図７】
2006207257.tif 000009
【図８】
2006207257.tif 000010
【図９】
2006207257.tif 000011
【図１０】
2006207257.tif 000012